(57)【特許請求の範囲】
【請求項１】
駆動源の正回転および逆回転に応じて正回転および逆回転する伝達車と、
この伝達車の回転に伴って正回転および逆回転するリング状の送り車と、
この送り車の上側に重なった状態で回転可能に配置された表示車と、
前記送り車の正回転によって前記表示車を空転させる一方で、前記送り車の逆回転によって前記表示車を回転させて前記表示車の表示を切り替えるための一方向回転部と、
を備え、
前記一方向回転部は、前記送り車の上面に環状に設けられた第１鋸歯と、前記表示車の下面に環状に設けられて前記送り車の前記第１鋸歯に噛み合う第２鋸歯とを有し、前記送り車が正回転する際に前記第１鋸歯に対する前記第２鋸歯の噛み合いがずれて前記表示車を空転させ、前記送り車が逆回転する際に前記第１鋸歯に前記第２鋸歯が噛み合って回転して前記表示車を回転させることを特徴とする表示切替装置。
【請求項２】
請求項１に記載の表示切替装置において、前記第１鋸歯と前記第２鋸歯とのそれぞれは、前記送り車の正回転方向に向けて緩やかに傾斜する滑り面と、前記送り車の逆回転方向に位置する前記滑り面の端部に設けられた押圧面とを有していることを特徴とする表示切替装置。
【請求項３】
請求項１又は請求項２に記載の表示切替装置において、前記送り車が正回転する際に前記表示車の回転を規制する一方で、前記送り車が逆回転する際に前記表示車の回転規制を解除するように、前記表示車の回転を制動する制動部材を備えていることを特徴とする表示切替装置。
【請求項４】
請求項３に記載の表示切替装置において、前記制動部材は、前記表示車に対して回転可能な状態で配置された固定部材および前記表示車の一方に設けられた複数の係合凹部と、前記固定部材および前記表示車の他方に設けられて前記複数の係合凹部にそれぞれ係脱可能に係合する複数の突起部とを備えていることを特徴とする表示切替装置。
【請求項５】
請求項１〜請求項４のいずれか一項に記載の表示切替装置において、前記表示車に前記送り車を弾力的に押し付けるための付勢部材を備えていることを特徴とする表示切替装置。
【請求項６】
請求項１〜請求項５のいずれか一項に記載の表示切替装置において、前記伝達車は、前記駆動源の回転が伝達されて回転する指針車の回転に伴って回転することを特徴とする表示切替装置。
【請求項７】
請求項１に記載された表示切替装置を収納する機器ケースを備えていることを特徴とする電子機器。
【発明の詳細な説明】
【技術分野】
【０００１】
この発明は、時計やカレンダー装置、あるいは計器類のメータなどの機器に用いられる表示切替装置および電子機器に関する。
【背景技術】
【０００２】
例えば、指針式の電子腕時計に用いられている表示切替装置においては、特許文献１に記載されているように、ステップモータの回転を中間車によって指針車に伝達し、この指針車の回転を他の中間車によってゼネバ車である伝達車に伝達し、この伝達車の回転に伴ってツメ車を回転させ、このツメ車によって送り車を間欠的に回転させることにより、この送り車によって表示車を回転させて、表示車の表示を切り替えるように構成されたものが知られている。
【先行技術文献】
【特許文献】
【０００３】
【特許文献１】特開２００９−１９８４３７号公報
【発明の概要】
【発明が解決しようとする課題】
【０００４】
しかしながら、このような腕時計の表示切替装置では、ツメ車が伝達車によって２４時間で１回転し、このツメ車が１回転するごとに送り車を所定角度ずつ回転させ、この送り車の所定角度の回転によって表示車を所定角度回転させて表示を切り替えるように構成されているため、表示車が回転を開始してから表示の切り替わりが完了するまでに要する時間が、３時間〜４時間程度必要であり、その間は表示が中途半端にずれた状態で表示されているという問題がある。
【０００５】
この発明が解決しようとする課題は、表示車の表示を速やかに切り替えることができる表示切替装置および電子機器を提供することである。
【課題を解決するための手段】
【０００６】
この発明は、駆動源の正回転および逆回転に応じて正回転および逆回転する伝達車と、この伝達車の回転に伴って正回転および逆回転するリング状の送り車と、この送り車の上側に重なった状態で回転可能に配置された表示車と、前記送り車の正回転によって前記表示車を空転させる一方で、前記送り車の逆回転によって前記表示車を回転させて前記表示車の表示を切り替えるための一方向回転部と、を備え、前記一方向回転部は、前記送り車の上面に環状に設けられた第１鋸歯と、前記表示車の下面に環状に設けられて前記送り車の前記第１鋸歯に噛み合う第２鋸歯とを有し、前記送り車が正回転する際に前記第１鋸歯に対する前記第２鋸歯の噛み合いがずれて前記表示車を空転させ、前記送り車が逆回転する際に前記第１鋸歯に前記第２鋸歯が噛み合って回転して前記表示車を回転させることを特徴とする表示切替装置である。
【発明の効果】
【０００７】
この発明によれば、駆動源の正回転によって伝達車が回転し、この伝達車の回転によって送り車が正回転した際に、一方向回転部によって表示車を空転させて表示車の表示をそのままの状態で維持させることができ、また駆動源の逆回転によって伝達車が回転し、この伝達車の回転によって送り車が逆回転した際に、一方向回転部によって表示車を回転させて表示車の表示を切り替えることができる。このため、送り車を高速で逆回転させることにより、表示車の表示を速やかに切り替えることができる。
【図面の簡単な説明】
【０００８】
【図１】この発明を指針式の電子腕時計に適用した第１実施形態における時計モジュールを示した拡大裏面図である。
【図２】図１に示された時計モジュールにおける第１駆動系を示した要部の拡大断面図である。
【図３】図１に示された時計モジュールにおける第２駆動系を示した要部の拡大断面図である。
【図４】図１に示された時計モジュールにおいて、文字板を取り外した状態の拡大平面図である。
【図５】図４に示された時計モジュールにおける表示切替装置を示した要部の拡大断面図である。
【図６】図４に示された表示切替装置のＡ−Ａ矢視における要部の拡大断面図である。
【図７】図４に示された表示切替装置における表示車を示し、（ａ）はその拡大平面図、（ｂ）はその拡大裏面図である。
【図８】図４に示された表示切替装置における送り車を示し、（ａ）はその拡大平面図、（ｂ）はその拡大裏面図である。
【図９】図４に示された表示切替装置における制動部材の固定板を示した拡大平面図である。
【図１０】図５に示された表示切替装置における板ばねを示し、（ａ）はその拡大平面図、（ｂ）はその拡大側面図である。
【図１１】図６に示された表示切替装置の動作状態を示し、（ａ）は送り車の正回転時に表示車が空転する状態を示した要部の拡大断面図、（ｂ）は送り車の逆回転時に表示車が送り車と共に回転する状態を示した要部の拡大断面図である。
【図１２】図１に示された時計モジュールの回路構成を示したブロック図である。
【図１３】図１２に示された回路構成における制御部のＣＰＵにより実行される時針の駆動制御の制御処理における手順を示した図である。
【図１４】図４に示された表示切替装置における時針と表示車との動作状態を示し、（ａ）は０時０１分００秒から２３時５９分３０秒までの間の通常運針時における時針と表示車との動作状態を示した図、（ｂ）は２３時５９分３０秒から２４時００分００秒までの間で送り車を逆回転させて表示車の日付表示を高速で切り替える状態を示した図、（ｃ）は表示車の日付表示が切り替わった２４時００分００秒の状態を示した図である。
【図１５】この発明を指針式の電子腕時計に適用した第２実施形態における時計モジュールを示した拡大平面図である。
【図１６】図１５に示された時計モジュールにおける表示切替装置の要部を示し、（ａ）はその拡大断面図、（ｂ）はその地板の係合凹部に表示車の突起部が係合している状態を示した要部の拡大断面図、（ｃ）は送り車の第１鋸歯と表示車の第２鋸歯とが噛み合っている状態を示した要部の拡大断面図である。
【図１７】図１６に示された表示切替装置において送り車が正回転している状態を示し、（ａ）はその拡大断面図、（ｂ）はその地板の係合凹部に表示車の突起部が係合している状態を示した要部の拡大断面図、（ｃ）は送り車の第１鋸歯と表示車の第２鋸歯との噛み合いがずれて表示車が空転する状態を示した要部の拡大断面図である。
【図１８】図１６に示された表示切替装置において送り車が逆回転している状態を示し、（ａ）はその拡大断面図、（ｂ）はその地板の係合凹部から表示車の突起部が離脱している状態を示した要部の拡大断面図、（ｃ）は送り車の第１鋸歯と表示車の第２鋸歯とが噛み合って回転している状態を示した要部の拡大断面図である。
【図１９】この発明の表示切替装置における制動部材の第１変形例を示した要部の拡大断面図である。
【図２０】この発明の表示切替装置における一方向回転部の第２変形例を示した要部の拡大断面図である。
【発明を実施するための形態】
【０００９】
（第１実施形態）
以下、図１〜図１４を参照して、この発明を指針式の電子腕時計に適用した第１実施形態について説明する。
この電子腕時計は、図１に示すように、腕時計ケースＫ内に組み込まれる時計モジュールＭを備えている。この時計モジュールＭは、図１〜図３に示すように、秒針１および分針２を駆動する第１駆動系５と、時針３および表示車４を駆動する第２駆動系６とを備えている。
【００１０】
第１駆動系５は、図１および図２に示すように、第１ステップモータ７と、この第１ステップモータ７によって回転する五番車８と、この五番車８によって回転する四番車である秒針車９と、この秒針車９によって回転する三番車１０と、この三番車１０によって回転する二番車である分針車１１とを備え、これらが地板１２と輪列受け１３との間に中受け２９を介して配置された構成になっている。
【００１１】
この場合、第１ステップモータ７は、図１および図２に示すように、ステータ７ａと、このステータ７ａに設けられたコイル部７ｂと、ステータ７ａの間に配置されたロータ７ｃとを備え、コイル部７ｂによってステータ７ａに発生する磁界により、ロータ７ｃがステップ回転するように構成されている。五番車８は、ロータ７ｃのロータカナ７ｄに噛み合って回転するように構成されている。
【００１２】
四番車である秒針車９は、図１および図２に示すように、五番車８のカナ８ａに噛み合って回転し、秒針１を運針させるように構成されている。この秒針車９は、秒針軸９ａを備えている。この秒針軸９ａは、地板１２の上方に突出し、この突出した上端部に秒針１が取り付けられている。また、三番車１０は、秒針車９のカナ９ｂに噛み合って回転するように構成されている。
【００１３】
二番車である分針車１１は、図１および図２に示すように、三番車１０のカナ１０ａに噛み合って回転し、分針２を運針させるように構成されている。この分針車１１は、筒状の分針軸１１ａを備えている。この分針軸１１ａは、その内部に秒針軸９ａが回転可能に挿入されている。また、この分針軸１１ａは、秒針軸９ａと共に地板１２の上方に突出し、この突出した上端部に分針２が取り付けられている。
【００１４】
一方、第２駆動系６は、図１および図３に示すように、第２ステップモータ１４と、この第２ステップモータ１４の回転が順次伝達される第１〜第３の各中間車１５〜１７と、この第３中間車１７によって回転する筒車である時針車１８と、この時針車１８の回転が順次伝達される第４、第５の各中間車１９、２０と、この第５中間車２０によって動作する表示切替装置２１とを備えている。
【００１５】
この場合、第２駆動系６の第２ステップモータ１４および第１〜第３の各中間車１５〜１７は、第１駆動系５と同様、地板１２と輪列受け１３との間に中受け２９を介して配置されている。また、この第２駆動系６における時針車１８、第４、第５の各中間車１９、２０、および表示切替装置２１は、図３に示すように、地板１２と押え板２２との間に配置されている。
【００１６】
第２ステップモータ１４は、図１および図３に示すように、ステータ１４ａと、このステータ１４ａに設けられたコイル部１４ｂと、ステータ１４ａの間に配置されたロータ１４ｃとを備え、コイル部１４ｂによってステータ１４ａに発生する磁界により、ロータ１４ｃがステップ回転するように構成されている。
【００１７】
第１中間車１５は、図１および図３に示すように、ロータ１４ｃのロータカナ１４ｄに噛み合って回転するように構成されている。第２中間車１６は第１中間車１５のカナ１５ａに噛み合って回転するように構成されている。第３中間車１７は第２中間車１６のカナ１６ａに噛み合って回転するように構成されている。筒車である時針車１８は、図３に示すように、第３中間車１７のカナ１７ａに噛み合って回転し、時針３を運針させるように構成されている。
【００１８】
この時針車１８は、図２および図３に示すように、筒状の時針軸１８ａを備えている。この時針車１８は、その時針軸１８ａの内部に分針軸１１ａが回転可能に挿入された状態で、地板１２の上方に配置された押え板２２によって回転可能に押えられた構成になっている。この時針軸１８ａの上端部には、時針３が取り付けられている。この時針３は、１２時間で１周回転して時刻を１２時間表示するものであり、１日（２４時間）に２周回転するように構成されている。
【００１９】
この場合、押え板２２の上面には、図２および図３に示すように、文字板３０が配置されている。この文字板３０には、貫通孔３０ａが上下に貫通して設けられている。これにより、秒針１、分針２、時針３は、その各針軸９ａ、１１ａ、１８ａが文字板３０の貫通孔３０ａを通して文字板３０の上方に突出し、この突出した各針軸９ａ、１１ａ、１８ａの各上端部に取り付けられ、この状態で各針軸９ａ、１１ａ、１８ａの回転に伴って文字板３０の上方を運針するように構成されている。
【００２０】
ところで、表示切替装置２１は、図３および図４に示すように、時針車１８に噛み合って回転する第４中間車１９と、この第４中間車１９のカナ１９ａに噛み合って回転する第５中間車２０と、この第５中間車２０のカナ２０ａによって回転する日回し車２３と、この日回し車２３によって回転するリング状の送り車２４と、この送り車２４の上側に重なった状態で回転可能に配置された表示車４と、送り車２４の正回転（図４の矢印Ｓ）によって表示車４を空転させると共に、送り車２４の逆回転（図４の矢印Ｇ）によって表示車４を回転させて表示車４の日付表示４ａを切り替える一方向回転部２５とを備え、これらが地板１２と押え板２２との間に配置された構成になっている。
【００２１】
日回し車２３は、図３〜図５に示すように、第５中間車２０のカナ２０ａに噛み合って回転すると共に、送り車２４の内歯２４ａに噛み合って回転することにより、第５中間車２０の回転を送り車２４に伝達して、送り車２４を回転させるように構成されている。送り車２４は、図３〜図５に示すように、平板状のリング形状に形成され、地板１２上に板ばね２６を介して回転可能に配置されている。この送り車２４は、その内周部に内歯２４ａが設けられ、この内歯２４ａに日回し車２３が噛み合うように構成されている。
【００２２】
表示車４は、図３〜図５に示すように、平板状のリング形状に形成され、送り車２４上に回転可能に配置されている。この表示車４は、その外径が送り車２４の外径とほぼ同じで、内径が送り車２４の内径よりも大きく形成され、送り車２４の内歯２４ａを内径側に突出させるように構成されている。この表示車４の上面には、図４に示すように、１日〜３１日に相当する日付表示４ａが等間隔で表示されている。この日付表示４ａは、表示車４の回転に応じていずれかの日付表示４ａが文字板３０の３時位置に設けられた表示窓部３０ｂに対応するように構成されている。
【００２３】
また、一方向回転部２５は、図６〜図８に示すように、送り車２４の上面に環状に設けられた第１鋸歯２７と、表示車４の下面に環状に設けられて送り車２４の第１鋸歯２７に噛み合う第２鋸歯２８とを有し、送り車２４が正回転（図４の矢印Ｓ）する際に第１鋸歯２７に対する第２鋸歯２８の噛み合いがずれて表示車４を空転させ、送り車２４が逆回転（図４の矢印Ｇ）する際に第１鋸歯２７に第２鋸歯２８が噛み合って回転することにより、表示車４を回転（図４の矢印Ｈ）させるように構成されている。
【００２４】
すなわち、第１鋸歯２７は、図６に示すように、送り車２４の上面の正回転方向（図６では左方向）に向けて緩やかに左下りに傾斜する滑り面２７ａと、送り車２４の逆回転方向（図６では右方向）に位置する滑り面２７ａの端部にほぼ垂直に設けられた押圧面２７ｂとを有している。また、第２鋸歯２８は、送り車２４の上面の正回転方向（図６では左方向）に向けて緩やかに左下りに傾斜する滑り面２８ａと、送り車２４の逆回転方向（図６では右方向）に位置する滑り面２８ａの端部にほぼ垂直に設けられた押圧面２８ｂとを有している。
【００２５】
この場合、第１鋸歯２７と第２鋸歯２８とは、図６に示すように、文字板３０の表示窓部３０ｂのほぼ半分の長さで形成されている。すなわち、第１鋸歯２７と第２鋸歯２８とは、表示車４の回転方向における長さ（ピッチ）が文字板３０の表示窓部３０ｂにおける径方向に対する長さのほぼ半分の長さで形成されている。このため、第１鋸歯２７と第２鋸歯２８とは、文字板３０の表示窓部３０ｂに対してそれぞれ２歯ずつ配置されるように構成されている。
【００２６】
これにより、第１鋸歯２７と第２鋸歯２８とは、送り車２４が正回転する際に、図１１（ａ）に示すように、第１鋸歯２７の滑り面２７ａと第２鋸歯２８の滑り面２８ａとが相互に滑り合って、表示車４を空転させ、また送り車２４が逆回転する際に、図１１（ｂ）に示すように、第１鋸歯２７の押圧面２７ｂと第２鋸歯２８の押圧面２８ｂとが相互に押圧し合って、表示車４を回転させるように構成されている。
【００２７】
この場合、送り車２４は、第２ステップモータ１４の正回転によって時針車１８が２４時間で２回転する際に、図１１（ａ）に示すように、第１鋸歯２７が４歯分送られるように正回転し、第２ステップモータ１４の逆回転によって時針車１８が逆方向に高速で１回転する際に、図１１（ｂ）に示すように、第１鋸歯２７が高速で２歯分送られるように逆回転する構成になっている。
【００２８】
また、表示車４は、図１１（ａ）および図１１（ｂ）に示すように、送り車２４が正回転して、第１鋸歯２７が４歯分送られる際に、第１鋸歯２７が第２鋸歯２８に対して順次回転移動して第２鋸歯２８を４歯分乗り越えることにより、表示車４が空転して文字板３０の表示窓部３０ｂに対応する日付表示４ａをそのままの状態で維持するように構成されている。また、表示車４は、送り車２４が逆方向に高速で回転して、第１鋸歯２７が２歯分送られる際に、文字板３０の表示窓部３０ｂに対応する日付表示４ａが速やかに切り替わるように構成されている。
【００２９】
ところで、表示車４は、図３〜図６に示すように、制動部材３１によって表示車４の回転が制動されて、勝手に回転しないように構成されている。すなわち、この制動部材３１は、表示車４の上方に配置されたリング状の固定板３２に設けられた複数の係合孔３２ａと、表示車４に設けられて複数の係合孔３２ａにそれぞれ係脱可能に係合する複数の突起部３２ｂとを備えている。
【００３０】
また、この制動部材３１は、図３〜図６に示すように、板ばね２６のばね力によって表示車４の突起部３２ｂが固定板３２の下面に向けて弾力的に押し付けられていることにより、突起部３２ｂが係合孔３２ａに弾力的に係合するように構成されている。これにより、この制動部材３１は、送り車２４が正回転する際に、表示車４の回転を規制して表示車４を空転させる一方で、送り車２４が逆回転する際に、表示車４に対する回転規制を解除して表示車４を回転させるように構成されている。
【００３１】
この場合、リング状の固定板３２は、図４〜図６に示すように、表示車４の表面における外周部上に配置された状態で、固定板３２の外周部に設けられたフック部３３が地板１２に係止され、これにより地板１２に対して固定されている。また、複数の係合孔３２ａは、表示車４に表示された日付表示４ａ間に対応する箇所の固定板３２に上下に貫通して設けられている。
【００３２】
複数の突起部３２ｂは、図３〜図６に示すように、複数の係合孔３２ａの全てに対応する箇所の表示車４の上面に設けられていることが望ましいが、必ずしも複数の係合孔３２ａの全てに対応する箇所に設ける必要はなく、少なくとも１つの係合孔３２ａに対応する箇所に設けられていても良い。
【００３３】
また、板ばね２６は、図１０（ａ）および図１０（ｂ）に示すように、送り車２４とほぼ同じ大きさのリング状に形成され、その両側部が斜め上方に向けて傾斜した状態で折り曲げられた構成になっている。この板ばね２６は、図５および図６に示すように、送り車２４と地板１２との間に配置され、斜め上方に向けて傾斜した部分の上端部が送り車２４の下面に弾接し、この状態で送り車２４を表示車４の下面に弾力的に押し付けることにより、表示車４の突起部３２ｂを固定板３２の係合孔３２ａに弾力的に係合させるように構成されている。
【００３４】
これにより、この制動部材３１は、図１１（ａ）に示すように、送り車２４が正回転して第１鋸歯２７の滑り面２７ａと第２鋸歯２８の滑り面２８ａとが相互に滑り合う際に、板ばね２６のばね力に抗して各鋸歯２７、２８の各滑り面２７ａ、２８ａが相互に滑り合って乗り越えると共に、板ばね２６のばね力によって複数の突起部３２ｂが複数の係合孔３２ａに弾力的に係合した状態を維持することにより、表示車４を空転させるように構成されている。
【００３５】
また、この制動部材３１は、図１１（ｂ）に示すように、送り車２４が逆回転し、第１鋸歯２７の押圧面２７ｂと第２鋸歯２８の押圧面２８ｂとが相互に押圧し合って表示車４が回転する際に、複数の突起部３２ｂが板ばね２６のばね力に抗して表示車４および送り車２４を押し下げながら複数の係合孔３２ａから離脱して固定板３２の下面に沿って移動することにより、表示車４を送り車２４と共に逆回転させるように構成されている。
【００３６】
次に、図１２のブロック図を参照して、この指針式の電子腕時計の回路構成について説明する。
この指針式の電子腕時計は、秒針１と分針２とを駆動する第１駆動系５と、時針３と表示車４とを駆動する第２駆動系６とを備えている。第１駆動系５は、第１輪列機構３５を介して秒針１を駆動すると共に、第２輪列機構３６を介して分針２を駆動する第１ステップモータ７を備えている。第２駆動系６は、第３輪列機構３７を介して時針３を駆動すると共に、第４輪列機構３８を介して表示車４を駆動する第２ステップモータ１４を備えている。
【００３７】
この場合、第１駆動系５の第１輪列機構３５は、図１および図２に示したように、第１ステップモータ７によって回転する五番車８と、この五番車８の回転によって回転する秒針車９とを備えている。第２輪列機構３６は、秒針車９の回転によって回転する三番車１０と、この三番車１０の回転によって回転する分針車１１とを備えている。
【００３８】
また、第２駆動系６の第３輪列機構３７は、図１および図３に示したように、第２ステップモータ１４によって回転する第１〜第３の各中間車１５〜１７と、第３中間車１７によって回転する時針車１８とを備えている。第４輪列機構３８は、時針車１８の回転によって回転する第４、第５の各中間車１９、２０と、第５中間車２０の回転によって回転する日回し車２３と、この日回し車２３の回転によって回転する送り車２４とを備え、この送り車２４によって表示車４を回転させるように構成されている。
【００３９】
また、この指針式の電子腕時計は、ＣＰＵ（中央演算処理装置）などを内臓して時計の全体的な統括制御を行う制御部４０と、この制御部４０のＣＰＵに作業用のメモリ空間を提供するＲＡＭ（ランダム・アクセス・メモリ）４１と、制御部４０のＣＰＵにより実行される種々のプログラムや初期設定データなどを格納するＲＯＭ（リード・オンリー・メモリ）４２とを備えている。
【００４０】
さらに、この指針式の電子腕時計は、一定周波数の発振信号を生成して出力する発振回路４３と、この発振回路４３から入力された発振信号を分周して時刻表示などの運針の基準となる周波数信号を生成する分周回路４４と、ユーザによる操作を電気信号に変換して制御部４０に出力するスイッチ部４５と、制御部４０からの制御信号に基づき第１、第２の各ステップモータ７、１４に駆動パルスを出力してステップ駆動させる第１、第２の各駆動回路４６、４７などを備えている。
【００４１】
制御部４０は、時刻のカウントをする計時処理や、この計時処理によって得られた時刻データ、およびスイッチ部４５からの入力信号などに基づいて設定されたパルス幅や電圧値の駆動パルスを、第１、第２の各駆動回路４６、４７から第１、第２の各ステップモータ７、１４に出力させる処理を行うように構成されている。
【００４２】
第１、第２の駆動回路４６、４７は、秒針１および分針２を運針させる第１ステップモータ７と、時針３および表示車４を運針および回転させる第２ステップモータ１４とを、それぞれステップ駆動させるための駆動パルスを出力するように構成されている。この第１、第２の駆動回路４６、４７から第１、第２の各ステップモータ７、１４に出力される駆動パルスは、制御部４０からの指令に基づいて、信号の長さや電圧値、すなわち第１、第２の各ステップモータ７、１４に流す電流量が変更されるようになっている。
【００４３】
また、秒針１、分針２、および時針３は、いずれも時計全体のほぼ中心に位置して、同一の軸中心の周りを回転するように構成されている。この場合、秒針１は、第１輪列機構３５を介して１秒ごとに６度ずつ回転し、６０秒間で６０ステップして１周回転するように構成されている。分針２は、秒針１に連動する第２輪列機構３６を介して回転し、１時間で１周回転するように構成されている。時針３は、第３輪列機構３７を介して２分おきに回転し、１２時間で１周回転するように構成されている。
【００４４】
次に、この指針式の電子腕時計における指針である秒針１、分針２、時針３を駆動する動作手順について、図１３に示す動作フローを参照して説明する。この場合、図１３は制御部４０のＣＰＵにより実行される指針１〜３の駆動動作における制御処理の手順を示す図である。
この制御処理は、分周回路４４から制御部４０に入力する１Ｈｚ（ヘルツ）の信号に基づいて制御部４０のＣＰＵにより開始される割り込み処理である。
【００４５】
この割り込み処理が秒針１の駆動タイミングに呼び出されて開始されると、ステップＳ１で計時処理を行う。すなわち、ＲＡＭ４１に記憶されている現在時刻データに＋１秒して現在時刻データを更新する。ＣＰＵの処理がステップＳ２に移行すると、ＣＰＵは、駆動パルスを第１ステップモータ７に供給するように第１駆動回路４６に指令を送り、第１ステップモータ７を１ステップ回転させる。これにより、第１ステップモータ７の回転が第１輪列機構３５によって秒針１に伝達され、秒針１が１ステップ回転する。また、このときには、第１ステップモータ７の回転が第２輪列機構３６によって分針２に伝達されて分針２も回転する。
【００４６】
この後、ステップＳ３に進み、現在時刻が２３時５９分３０秒であるか否かを判断する。このとき、２３時５９分３０秒でない場合には、ステップＳ４に進み、通常運針のプログラムを実行する。すなわち、このステップＳ４では、現在時刻が偶数分００秒であるか否かを判断し、偶数分００秒であると判断された場合には、ステップＳ５に進む。このステップＳ５で、ＣＰＵは、駆動パルスを第２ステップモータ１４に供給するように第２駆動回路４７に指令を送り、図１４（ａ）に示すように、第２ステップモータ１４を１ステップ回転させる。
【００４７】
このときには、第２ステップモータ１４の正回転が第３輪列機構３７によって時針３に伝達され、この時針３が１ステップ回転する。また、このときには、第２ステップモータ１４の正回転が第４輪列機構３８によって表示切替装置２１の日回し車２３に伝達され、この日回し車２３の回転によって送り車２４が正回転され、この処理動作を終了する。この場合、送り車２４が正回転しても、表示車４は回転しない。
【００４８】
すなわち、送り車２４が正回転する際には、図１１（ａ）に示すように、板ばね２６のばね力によって送り車２４を介して表示車４が文字板３０に下側から弾力的に押し付けられ、制動部材３１における表示車４の複数の突起部３２ｂが固定板３２の複数の係合孔３２ａに弾力的に係合して、表示車４の回転が規制されている。
【００４９】
このため、送り車２４が正回転する際には、図１１（ａ）に示すように、板ばね２６のばね力に抗して送り車２４を押し下げながら、送り車２４の第１鋸歯２７の滑り面２７ａと表示車４の第２鋸歯２８の滑り面２８ａとが相互に滑り合って、送り車２４のみが正回転して表示車４が空転する。これにより、文字板３０の表示窓部３０ｂに対応する日付表示４ａがそのままの状態を維持する。また、ステップＳ４で、偶数分００秒でないと判断された場合には、この処理動作を終了する。
【００５０】
ところで、ステップＳ３で、現在時刻が２３時５９分３０秒であると判断された場合には、ステップＳ６に進み、第２ステップモータ１４を高速で３６０ステップ逆回転させて、表示切替装置２１における表示車４の日付表示４ａの切替を行う。このときには、時針３が２回転しているので、送り車２４の第１鋸歯２７が正回転方向に４歯分回転し、図１１（ａ）に示すように、表示車４を空転させながら表示車４の第２鋸歯２８の４歯分乗り越えた状態になっている。
【００５１】
この状態で、ＣＰＵが第２駆動回路４７に第２ステップモータ１４を高速で逆回転させる指令を送り、この第２駆動回路４７が３０秒間で時針３を逆方向に１回転させる駆動パルスを第２ステップモータ１４に出力する。これにより、第２ステップモータ１４が高速で３６０ステップ逆回転し、この第２ステップモータ１４の逆回転が第３輪列機構３７によって時針３に伝達され、図１４（ｂ）に示すように、時針３が高速で３６０ステップ、つまり約３０秒で１周だけ逆回転する。
【００５２】
また、このときには、図１４（ｂ）に示すように、第２ステップモータ１４の逆回転が第４輪列機構３８によって表示切替装置２１の日回し車２３に伝達され、この日回し車２３の逆回転によって送り車２４が逆回転する。すなわち、現在時刻が２３時５９分３０秒である場合には、図１１（ａ）に示すように、送り車２４の第１鋸歯２７が正回転方向に４歯分回転して、送り車２４の第１鋸歯２７と表示車４の第２鋸歯２８とが噛み合った状態になっている。
【００５３】
この状態で、時針３および日回し車２３が高速で逆回転する際には、図１１（ｂ）に示すように、第１鋸歯２７の押圧面２７ｂが第２鋸歯２８の押圧面２８ｂを押圧して、表示車４を回転させる。このときには、制動部材３１における表示車４の複数の突起部３２ｂが板ばね２６のばね力に抗して送り車２４を押し下げて固定板３２の複数の係合凹部３２ａから離脱する。このため、送り車２４の逆回転によって表示車４が回転する。
【００５４】
この後、ステップＳ７に進んで、現在時刻が２４時００分００秒であるか否かを判断する。このステップＳ７で２４時００分００秒でない場合には、第２ステップモータ１４を更に高速で逆回転させ、図１１（ｂ）に示すように、送り車２４の第１鋸歯２７の押圧面２７ｂを表示車４の第２鋸歯２８の押圧面２８ｂに押圧させて、表示車４を２歯分だけ回転させ、図１４（ｃ）に示すように、文字板３０の表示窓部３０ｂに対応する表示車４の日付表示４ａを３０秒間で「１日」から「２日」に速やかに切り替える。
【００５５】
そして、現在時刻が２４時００分００秒になると、時針３が逆方向に１回転して１２時の位置を指示すると共に、秒針１および分針２も１２時の位置を指示し、０時００分００秒を指示する。この後、ステップＳ８に進んで、第２ステップモータ１４の逆回転を停止する。このときには、表示車４における表示窓部３０ｂに対応する日付表示４ａが切り替わっている。このように、ステップＳ６〜ステップＳ８の処理で表示車４の日付表示４ａが更新されたら、ＣＰＵは時刻修正をすることなく、その処理動作を終了する。
【００５６】
このように、この表示切替装置２１によれば、駆動源である第２ステップモータ１４の正回転および逆回転に応じて正回転および逆回転する日回し車２３と、この日回し車２３の回転に伴って正回転および逆回転するリング状の送り車２４と、この送り車２４の上側に重なった状態で回転可能に配置された表示車４と、送り車２４の正回転によって表示車４を空転させる一方で、送り車２４の逆回転によって表示車４を回転させて表示車４の日付表示４ａを切り替えるための一方向回転部２５とを備えているので、表示車４の日付表示４ａを速やかに切り替えることができる。
【００５７】
すなわち、この表示切替装置２１では、第２ステップモータ１４の正回転によって日回し車２３が回転し、この日回し車２３の回転によって送り車２４が正回転した際に、一方向回転部２５によって表示車４を空転させて表示車４の日付表示４ａをそのままの状態で維持させることができ、これにより表示車４の日付表示４ａが中途半端な表示状態にならないようにすることができる。
【００５８】
また、第２ステップモータ１４の逆回転によって日回し車２３が回転し、この日回し車２３の回転によって送り車２４が逆回転した際に、一方向回転部２５によって表示車４を回転させて表示車４の日付表示４ａを切り替えることができる。このため、送り車２４を高速で逆回転させることにより、表示車４の日付表示４ａを速やかに切り替えることができると共に、送り車２４上に表示車４が重なって配置されているので、装置全体の薄型化およびコンパクト化を図ることができる。
【００５９】
この場合、一方向回転部２５は、送り車２４の上面に環状に設けられた第１鋸歯２７と、表示車４の下面に環状に設けられて送り車２４の第１鋸歯２７に噛み合う第２鋸歯２８とを有し、送り車２４が正回転する際に第１鋸歯２７に対する第２鋸歯２８の噛み合いがずれて表示車４を空転させ、また送り車２４が逆回転する際に第１鋸歯２７に第２鋸歯２８が噛み合って回転して表示車４を回転させる構成であるから、送り車２４の正回転により表示車４を空転させて表示車４の日付表示４ａをそのまま維持することができ、また送り車２４の逆回転により表示車４の日付表示４ａを切り替えることができる。
【００６０】
すなわち、送り車２４が正回転する際には、第１鋸歯２７に対する第２鋸歯２８の噛み合いがずれて表示車４を空転させることができ、これにより表示車４の日付表示４ａをそのままの状態で維持させることができる。また、送り車２４が逆回転する際には、第１鋸歯２７が第２鋸歯２８に噛み合って回転して表示車４を回転させることができ、これにより表示車４の日付表示４ａを切り替えることができる。
【００６１】
また、この表示切替装置２１では、一方向回転部２５の第１鋸歯２７と第２鋸歯２８とのそれぞれが、送り車２４の正回転方向に向けて緩やかに傾斜する滑り面２７ａ、２８ａと、送り車２４の逆回転方向に位置する滑り面２７ａ、２８ａの端部に設けられた押圧面２７ｂ、２８ｂとを有していることにより、送り車２４が正回転する際に第１鋸歯２７の滑り面２７ａと第２鋸歯２８の滑り面２８ａとを良好に滑らせて、第１鋸歯２７を第２鋸歯２８に対して円滑にずらすことができ、また送り車２４が逆回転する際に第１鋸歯２７の押圧面２７ｂと第２鋸歯２８の押圧面２８ｂとが互いに当接するので、送り車２４の回転によって表示車４を確実に回転させることができ、これにより表示車４の日付表示４ａを切り替えることができる。
【００６２】
さらに、この表示切替装置２１では、送り車２４が正回転する際に表示車４の回転を規制する一方で、送り車２４が逆回転する際に表示車４の回転規制を解除するように、表示車４の回転を制動する制動部材３１を備えていることにより、送り車２４が正回転する際に制動部材３１によって表示車４の回転を規制して、表示車４が回転するのを阻止することができ、これにより表示車４を良好に空転させることができる。また、送り車２４が逆回転する際には、制動部材３１によって送り車２４の第１鋸歯２７と表示車４の第２鋸歯２８とを確実に噛み合わせることができ、これにより送り車２４の回転によって表示車４を確実に回転させることができる。
【００６３】
この場合、制動部材３１は、表示車４の上方に配置された固定板３２に設けられた複数の係合孔３２ａと、表示車４に設けられて固定板３２の複数の係合孔３２ａにそれぞれ係脱可能に係合する複数の突起部３２ｂとを備えていることにより、送り車２４が正回転する際に固定板３２の係合孔３２ａに表示車４の突起部３２ｂを係合させることができ、これにより表示車４の回転を規制して阻止することができる。
【００６４】
このため、表示車４の日付表示４ａをそのままの状態で維持させることができると共に、表示車４の回転方向におけるガタツキを防ぐことができ、表示車４の表示を常に安定させることができる。また、送り車２４が逆回転する際には、固定板３２の係合孔３２ａから表示車４の突起部３２ｂを離脱させることができ、これにより表示車４を確実に回転させて、表示車４の日付表示４ａを良好に切り替えることができる。
【００６５】
また、この表示切替装置２１では、送り車２４と表示車４とを弾力的に押し付けるための板ばね２６を備えているので、送り車２４が正回転する際に板ばね２６のばね力によって表示車４の突起部３２ｂを固定板３２の係合孔３２ａに弾力的に係合させることができ、これにより表示車４の回転を良好に規制して表示車４の回転方向におけるガタツキを防ぐことができるので、表示車４の表示を常に安定させた状態で維持することができる。また送り車２４が逆回転する際には、板ばね２６のばね力に抗して表示車４の突起部３２ｂを固定板３２の係合孔３２ａから良好に離脱させることができ、これにより表示車４を確実に且つ円滑に回転させることができる。
【００６６】
さらに、この表示切替装置２１では、第２ステップモータ１４の回転によって時針３を運針させる時針車１８の回転に伴って日回し車２３が回転し、この日回し車２３の回転によって送り車２４が回転する構成であるから、日回し車２３および送り車２４を回転させるための専用の駆動源を必要とせず、時針車１８を回転させるための第２ステップモータ１４で兼用することができ、これにより駆動源の簡素化を図ることができると共に、低コスト化をも図ることができる。
【００６７】
（第２実施形態）
次に、図１５〜図１８を参照して、この発明を指針式の電子腕時計に適用した第２実施形態について説明する。なお、図１〜図１４に示された第１実施形態と同一部分には同一符号を付して説明する。
この電子腕時計の表示切替装置５０は、図１５および図１６（ａ）に示すように、送り車５１の外径が表示車４の外径よりも小さく形成され、これに伴って表示車４の回転を制動する制動部材５２が第１実施形態と異なる構成になっており、これ以外は第１実施形態とほぼ同じ構成になっている。
【００６８】
この場合、送り車５１は、図１６（ａ）に示すように、その外径が表示車４の内径よりも少し大きく、内径が表示車４の内径よりも十分に小さく形成されている。この送り車５１の内周には、第１実施形態と同様、日回し車２３に噛み合う内歯５１ａが設けられている。また、この送り車５１と表示車４とが重なり合う箇所には、第１実施形態と同様、一方向回転部２５が設けられている。この一方向回転部２５も、送り車５１の上面に設けられた第１鋸歯２７と、表示車４の下面に設けられた第２鋸歯２８とを備えている。
【００６９】
すなわち、表示車４と重なり合う箇所における送り車の上面には、第１実施形態と同様、第１鋸歯２７が環状に沿って設けられている。この送り車５１の下面には、リング状の板ばね２６が配置されている。表示車４は、第１実施形態と同様、上面に１日〜３１日の日付表示４ａが等間隔で設けられている。この日付表示４ａは、そのいずれかが文字板３０の表示窓部３０ｂに対応するように構成されている。
【００７０】
また、この表示車４は、送り車５１と重なり合う箇所の下面に第１鋸歯２７と噛み合う第２鋸歯２８が環状に沿って設けられている。この場合、表示車４は、図１６（ａ）に示すように、送り車５１と重なり合わない外周側の箇所が地板１２上に回転可能な状態で配置されている。この表示車４は、板ばね２６のばね力によって送り車５１を介して押し上げられ、押え板２２の下面に回転可能な状態で弾力的に押し付けられている。
【００７１】
一方、制動部材５２は、図１５〜図１８に示すように、表示車４の回転を制御して、表示車４が勝手に回転しないように構成されている。すなわち、この制動部材５２は、地板１２の上面に設けられた複数の係合凹部５２ａと、表示車４の下面に設けられて複数の係合凹部５２ａにそれぞれ係脱可能に係合する複数の突起部５２ｂとを備えている。
【００７２】
また、この制動部材５２は、図１５〜図１８に示すように、板ばね２６のばね力によって表示車４の突起部５２ｂが地板１２の下面に向けて弾力的に押し付けられていることにより、突起部５２ｂが係合凹部５２ａに弾力的に係合するように構成されている。これにより、この制動部材５２は、送り車５１が正回転する際に、表示車４の回転を規制して表示車４を空転させる一方で、送り車５１が逆回転する際に、表示車４の回転規制を解除して表示車４を回転させるように、表示車４の回転を規制するように構成されている。
【００７３】
この場合、複数の係合凹部５２ａは、第１実施形態と同様、表示車４に表示された日付表示４ａ間に対応する箇所の地板１２に設けられている。複数の突起部５２ｂは、図１５〜図１８に示すように、複数の係合凹部５２ａの全てに対応する箇所の表示車４の下面に設けられていることが望ましいが、必ずしも複数の係合凹部５２ａの全てに対応する箇所に設ける必要はなく、第１実施形態と同様、少なくとも１つの係合凹部５２ａに対応する箇所に設けられていても良い。
【００７４】
この制動部材５２は、図１５および図１６（ａ）に示すように、板ばね２６のばね力によって送り車５１を介して表示車４が押え板２２に下側から弾力的に押し付けられていることにより、表示車４の複数の突起部５２ｂが地板１２の複数の係合凹部５２ａに係合して、表示車４の回転を弾力的に規制するように構成されている。
【００７５】
これにより、この制動部材５２は、図１７（ｃ）に示すように、送り車２４が正回転して第１鋸歯２７の滑り面２７ａと第２鋸歯２８の滑り面２８ａとが相互に滑り合う際に、板ばね２６のばね力に抗して送り車５１が押し下げられると共に、図１７（ｂ）に示すように、板ばね２６のばね力によって複数の突起部５２ｂが複数の係合凹部５２ａに弾力的に係合していることにより、表示車４の回転を規制して表示車４を空転させるように構成されている。
【００７６】
また、この制動部材３１は、図１８（ｃ）に示すように、送り車５１が逆回転し、第１鋸歯２７の押圧面２７ｂと第２鋸歯２８の押圧面２８ｂとが相互に押圧し合って表示車４が回転する際に、図１８（ｂ）に示すように、複数の突起部５２ｂが板ばね２６のばね力に抗して表示車４および送り車５１を押し下げながら複数の係合凹部５２ａから離脱して、地板１２の上面に沿って回転するように構成されている。
【００７７】
次に、この指針式の電子腕時計における表示切替装置５０の作用について説明する。
この電子腕時計が通常運針する際には、第１実施形態と同様、第１ステップモータ７が回転し、この第１ステップモータ７の回転が第１輪列機構３５によって秒針１に伝達され、秒針１が運針すると共に、第１ステップモータ７の回転が第２輪列機構３６によって分針２に伝達されて分針２も運針する。このとき、偶数分００秒経過するごとに、第２ステップモータ１４が正回転する。
【００７８】
このように第２ステップモータ１４が正回転すると、その回転が第３輪列機構３７を介して時針車１８に伝達されて回転し、この時針車１８の回転に伴って時針３が運針する。また、このときには、時針車１８の回転に伴って第４輪列機構３８を介して表示切替装置５０の日回し車２３が正回転し、この日回し車２３の回転によって送り車５１が正回転する。しかし、このように送り車５１が正回転しても、表示車４は回転しない。
【００７９】
すなわち、このときには、板ばね２６のばね力によって送り車５１を介して表示車４が押え板２２に下側から弾力的に押し付けられていることにより、図１７（ｂ）に示すように、制動部材５２における表示車４の複数の突起部５２ｂが地板１２の複数の係合凹部５２ａに係合して、表示車４の回転が規制されていると共に、板ばね２６のばね力に抗して送り車５１が押し下げられながら、図１７（ｃ）に示すように、送り車５１の第１鋸歯２７の滑り面２７ａと表示車４の第２鋸歯２８の滑り面２８ａとが相互に滑り合って、送り車５１のみが回転して表示車４が空転する。
【００８０】
このようにして、送り車５１が回転して、現在時刻が２３時５９分３０秒に近づいた際には、送り車５１の第１鋸歯２７が表示車４の第２鋸歯２８の４歯分ずれて表示車４の第２鋸歯２８を乗り越えるが、表示車４は回転しない。このため、文字板３０の表示窓部３０ｂに対応する表示車４の日付表示４ａはそのままの状態を維持する。
【００８１】
そして、現在時刻が２３時５９分３０秒になると、第２ステップモータ１４を高速で３６０ステップ逆回転させて、表示切替装置５０における表示車４の日付表示４ａを速やかに切り替える。すなわち、第２ステップモータ１４の逆回転が第３輪列機構３７によって時針車１８に伝達され、この時針車１８の逆回転によって時針３が高速で３６０ステップ、つまり約３０秒で１周だけ逆回転する。
【００８２】
このときには、第２ステップモータ１４の逆回転が第４輪列機構３８によって表示切替装置５０の日回し車２３に伝達され、この日回し車２３の逆回転によって送り車５１が第１鋸歯２７の２歯分だけ高速で逆回転する。すなわち、現在時刻が２３時５９分３０秒である場合には、図１７（ｃ）に示すように、送り車５１の第１鋸歯２７が正回転方向に４歯分回転して、図１６（ｃ）に示すように、送り車５１の第１鋸歯２７と表示車４の第２鋸歯２８とが噛み合った状態になっている。
【００８３】
この状態で、時針３および日回し車２３が高速で逆回転する際には、図１８（ｃ）に示すように、第１鋸歯２７の押圧面２７ｂが第２鋸歯２８の押圧面２８ｂを押圧して、３０秒で表示車４を２歯分だけ回転させる。これにより、図１５に示すように、文字板３０の表示窓部３０ｂに対応する表示車４の日付表示４ａが３０秒間で「１日」から「２日」に速やかに切り替わる。
【００８４】
このときには、時針３が逆方向に１回転して１２時の位置を指示すると共に、秒針１および分針２も１２時の位置を指示し、０時００分００秒を指示する。このため、時針３を高速で逆回転させると共に、表示切替装置５０の日回し車２３を高速で逆回転させて、送り車５１を２歯分回転させて、表示車４における表示窓部３０ｂに対応する日付表示４ａを切り替えた後に、時刻修正をする必要がない。
【００８５】
このように、この表示切替装置５０によれば、第１実施形態と同様、第２ステップモータ１４の正回転によって日回し車２３が回転し、この日回し車２３の回転によって送り車５１が正回転した際に、一方向回転部２５によって表示車４を空転させて表示車４の日付表示４ａをそのままの状態で維持させることができ、これにより表示車４の日付表示４ａが中途半端な表示状態にならないようにすることができる。
【００８６】
また、この表示切替装置５０によれば、第１実施形態と同様、第２ステップモータ１４の逆回転によって日回し車２３が回転し、この日回し車２３の回転によって送り車５１が逆回転した際に、一方向回転部２５によって表示車４を回転させて表示車４の日付表示４ａを切り替えることができる。このため、送り車５１を高速で逆回転させることにより、表示車４の日付表示４ａを速やかに切り替えることができると共に、送り車２４上に表示車４が重なって配置されているので、装置全体の薄型化およびコンパクト化を図ることができる。
【００８７】
また、この表示切替装置５０では、送り車５１が正回転する際に表示車４の回転を規制する一方で、送り車２４が逆回転する際に表示車４の回転規制を解除するように、表示車４の回転を制動する制動部材５２を備えていることにより、送り車５１が正回転する際に制動部材５２によって表示車４の回転を規制して、表示車４が回転するのを阻止することができ、これにより表示車４を良好に空転させることができる。また、送り車５１が逆回転する際には、制動部材５２によって送り車５１の第１鋸歯２７と表示車４の第２鋸歯２８とを確実に噛み合わせることができ、これにより送り車５１の回転によって表示車４を確実に回転させることができる。
【００８８】
この場合、制動部材５２は、表示車４が回転可能な状態で配置される地板１２の複数の係合凹部５２ａと、表示車４の下面に設けられた複数の係合凹部５２ａにそれぞれ係脱可能に係合する複数の突起部５２ｂとを備えていることにより、送り車５１が正回転する際に地板１２の係合凹部５２ａに表示車４の突起部５２ｂを係合させることができ、これにより表示車４の回転を確実に規制することができるので、表示車４の日付表示４ａをそのままの状態で維持させることができ、また送り車５１が逆回転する際に地板１２の係合凹部５２ａから表示車４の突起部５２ｂを離脱させることができ、これにより表示車４を確実に回転させて、表示車４の日付表示４ａを確実に切り替えることができる。
【００８９】
なお、上述した第２実施形態では、表示車４が配置される地板１２の上面に複数の係合凹部５２ａを設け、表示車４の下面に複数の突起部５２ｂを設けた場合について述べたが、これに限らず、例えば図１９に示す第１変形例のように、表示車４の下面に複数の係合凹部５２ａを設け、表示車４が配置される地板１２の上面に複数の突起部５２ｂを設けた構成であっても良い。
【００９０】
また、上述した第１、第２の各実施形態では、送り車２４、５１の第１鋸歯２７と表示車４の第２鋸歯２８とを文字板３０の表示窓部３０ｂの半分の大きさに対応する長さ（ピッチ）で形成した場合について述べたが、これに限らず、例えば図２０に示す第２変形例のように、送り車２４、５１の第１鋸歯２７と表示車４の第２鋸歯２８とを文字板３０の表示窓部３０ｂと同じ大きさのピッチで形成しても良い。
【００９１】
この場合には、第１鋸歯２７と第２鋸歯２８とが文字板３０の表示窓部３０ｂに１歯づつ対応する。このため、送り車２４、５１は２４時間で正回転方向に２歯進み、逆回転のときに逆回転方向に１歯戻るように制御すれば良い。すなわち、通常運針時に、２４時間で送り車２４、５１を正回転方向に２歯回転させて表示車４を空転させ、また送り車２４、５１を３０秒間で逆回転方向に１回転させて、表示車４を１歯分回転させれば良い。このように構成しても、表示車４の日付表示４ａを高速で切り替えることができる。
【００９２】
さらに、上述した第１、第２の各実施形態では、第１駆動系５と第２駆動系６とを有する指針式の電子腕時計に適用した場合について述べたが、必ずしも第１、第２の各駆動系５、６を備えている必要はなく、１つの駆動系のみを有する指針式の電子腕時計にも適用することができる。
【００９３】
また、上述した第１、第２の各実施形態では、一方向回転部２５が、送り車２４、５１の上面に第１鋸歯２７を設け、表示車４の下面に第２鋸歯２８を設け、送り車２４、５１の正回転のときに第１鋸歯２７と第２鋸歯２８との噛み合いをずらして表示車４を空転させ、送り車２４、５１の逆回転のときに第１鋸歯２７と第２鋸歯２８とを噛み合わせて表示車４を回転させるように構成した場合について述べたが、これに限らず、一方向回転部として、磁力によって表示車４を空転および回転させるように構成しても良い。
【００９４】
この場合には、送り車に複数の磁石を表示車の日付表示に対応させて設け、表示車に鉄などの磁性材または磁石などの磁力で吸引し合う吸引部を設け、送り車の正回転のときに送り車の磁石を表示車の吸引部から引き離して表示車４を空転させ、送り車の逆回転のときに送り車の磁石の磁力で表示車の吸引部を引き寄せて表示車４を回転させるように構成しても良い。
【００９５】
また、上述した第１、第２の各実施形態では、表示車２４、５１に日付表示４ａを設けた場合について述べたが、必ずしも表示車４は日付表示４ａが設けられている必要はなく、曜日表示、月表示などの表示が設けられていても良い。
【００９６】
さらに、上述した第１、第２の各実施形態では、指針式の腕時計に適用した場合について述べたが、必ずしも腕時計である必要はなく、例えばトラベルウオッチ、目覚まし時計、置き時計、掛け時計などの各種の指針式の時計に適用することができる。また、時計に限らず、カレンダー装置や、計器類のメータなどの各種の機器に広く適用することができる。
【００９７】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９８】
（付記）
請求項１に記載の発明は、駆動源の正回転および逆回転に応じて正回転および逆回転する伝達車と、この伝達車の回転に伴って正回転および逆回転するリング状の送り車と、この送り車の上側に重なった状態で回転可能に配置された表示車と、前記送り車の正回転によって前記表示車を空転させる一方で、前記送り車の逆回転によって前記表示車を回転させて前記表示車の表示を切り替えるための一方向回転部とを備えていることを特徴とする表示切替装置である。
【００９９】
請求項２に記載の発明は、請求項１に記載の表示切替装置において、前記一方向回転部は、前記送り車の上面に環状に設けられた第１鋸歯と、前記表示車の下面に環状に設けられて前記送り車の前記第１鋸歯に噛み合う第２鋸歯とを有し、前記送り車が正回転する際に前記第１鋸歯に対する前記第２鋸歯の噛み合いがずれて前記表示車を空転させ、前記送り車が逆回転する際に前記第１鋸歯に前記第２鋸歯が噛み合って回転して前記表示車を回転させることを特徴とする表示切替装置である。
【０１００】
請求項３に記載の発明は、請求項２に記載の表示切替装置において、前記第１鋸歯と前記第２鋸歯とのそれぞれは、前記送り車の正回転方向に向けて緩やかに傾斜する滑り面と、前記送り車の逆回転方向に位置する前記滑り面の端部に設けられた押圧面とを有していることを特徴とする表示切替装置である。
【０１０１】
請求項４に記載の発明は、請求項１〜請求項３のいずれかに記載の表示切替装置において、前記送り車が正回転する際に前記表示車の回転を規制する一方で、前記送り車が逆回転する際に前記表示車の回転規制を解除するように、前記表示車の回転を制動する制動部材を備えていることを特徴とする表示切替装置である。
【０１０２】
請求項５に記載の発明は、請求項４に記載の表示切替装置において、前記制動部材は、前記表示車に対して回転可能な状態で配置された固定部材および前記表示車の一方に設けられた複数の係合凹部と、前記固定部材および前記表示車の他方に設けられて前記複数の係合凹部にそれぞれ係脱可能に係合する複数の突起部とを備えていることを特徴とする表示切替装置である。
【０１０３】
請求項６に記載の発明は、請求項１〜請求項５のいずれかに記載の表示切替装置において、前記表示車に前記送り車を弾力的に押し付けるための付勢部材を備えていることを特徴とする表示切替装置である。
【０１０４】
請求項７に記載の発明は、請求項１〜請求項６のいずれかに記載の表示切替装置において、前記伝達車は、前記駆動源の回転が伝達されて回転する指針車の回転に伴って回転することを特徴とする表示切替装置である。
【０１０５】
請求項８に記載の発明は、請求項１に記載された表示切替装置を収納する機器ケースを備えていることを特徴とする電子機器である。
【符号の説明】
【０１０６】
１  秒針
２  分針
３  時針
４  表示車
４ａ  日付表示
５  第１駆動系
６  第２駆動系
１４  第２ステップモータ
１８  時針車
１９、２０  第４、第５の各中間車
２１、５０  表示切替装置
２３  日回し車
２４、５１  送り車
２５  一方向回転部
２６  板ばね
２７、２８  第１、第２の各鋸歯
２７ａ、２８ａ  滑り部
２７ｂ、２８ｂ  押圧部
３０  文字板
３０ｂ  表示窓部
３１、５２  制動部材
３２  固定板
３２ａ  係合孔
３２ｂ、５２ｂ  突起部
４０  制御部
５２ａ  係合凹部
Ｋ  腕時計ケース
Ｍ  時計モジュール
【図１】
0005825076.tif 000002
【図２】
0005825076.tif 000003
【図３】
0005825076.tif 000004
【図４】
0005825076.tif 000005
【図５】
0005825076.tif 000006
【図６】
0005825076.tif 000007
【図７】
0005825076.tif 000008
【図８】
0005825076.tif 000009
【図９】
0005825076.tif 000010
【図１０】
0005825076.tif 000011
【図１１】
0005825076.tif 000012
【図１２】
0005825076.tif 000013
【図１３】
0005825076.tif 000014
【図１４】
0005825076.tif 000015
【図１５】
0005825076.tif 000016
【図１６】
0005825076.tif 000017
【図１７】
0005825076.tif 000018
【図１８】
0005825076.tif 000019
【図１９】
0005825076.tif 000020
【図２０】
0005825076.tif 000021